(57)【要約】【課題】ベルマウスから発生する騒音を低減して、静粛な運転を行うことのできる空気調和機の室外機を提供する。【解決手段】前後面が開放され環状に形成された環状部１６と、同環状部１６の前面側に連続して形成され四側周囲に取付用のネジ挿通孔１８を穿設した矩形状のフランジ１５とからなり、前記ネジ挿通孔１８にネジを挿通させて前面パネルに螺着されるベルマウスの前記環状部の内壁面に、軸流ファンの回転方向に沿うとともに、断面が円弧状の凹部となった曲線状の溝１９を多数形成することにより、ベルマウス１４内での空気流れの剥離を防止し、これに起因する騒音を抑制する。【選択図】  図３
2004239579.tif 000002
【特許請求の範囲】
【請求項１】
前面に吹出口を、背面に吸込口を備えた外胴をベースに被着するとともに、同ベース上を仕切板により機械室と熱交換器室とに区画し、前記機械室に圧縮機を設け、前記熱交換器室に、前記吸込口に臨んで、平行に並べられた多数のフィンと、同フィンに直交するように蛇行状に配設された伝熱管とからなる室外側熱交換器を設ける一方、前記吹出口に臨んで、軸流ファンと、同軸流ファンを駆動するモータとを設け、前記吹出口の裏面に、前記軸流ファンを囲繞する環状部と、同環状部の前面に形成され前記外胴に対応する複数の取付孔を穿設したフランジとからなるベルマウスを設けてなる空気調和機の室外機において、
前記環状部の内壁面に、前記軸流ファンの回転方向に沿った複数の曲線状の溝を形成してなることを特徴とする空気調和機の室外機。
【請求項２】
前記ベルマウスが樹脂材からなり、前記曲線状の溝が前記環状部に一体に形成されてなることを特徴とする請求項１に記載の空気調和機の室外機。
【請求項３】
前記曲線状の溝の断面形状が、円弧状の凹部に形成されてなることを特徴とする請求項１又は請求項２に記載の空気調和機の室外機。
【発明の詳細な説明】
【０００１】
【発明の属する技術分野】
本発明は、空気調和機の室外機に関わり、より詳細には軸流ファンから発生する騒音を低減する構成に関する。
【０００２】
【従来の技術】
従来例による空気調和機の室外機の内部構造は、本発明によるものとほぼ同一なので、内部構造については図２を用いて説明する。空気調和機の室外機は、図２で示すように、ベース１上を仕切板２により左右に区画し、区画された一方に機械室３を、区画された他方に熱交換器室４を夫々設けている。前記機械室３には、冷媒を圧縮し冷媒をこれを送出する圧縮機５及び冷媒を貯留するアキュームレータ等が設けられ、前記熱交換器室４には、Ｌ字状に形成された室外側熱交換器６と、その前面に軸流ファン７及び同軸流ファン７を駆動するモータが夫々設けられている。前記ベース１の前面側には、吹出グリル９を装着した前面パネル８が被着され、同前面パネル８と前記軸流ファン７との間には、同軸流ファン７から送出された空気を整流するベルマウスが設けられている。（特許文献１参照）
【０００３】
従来のベルマウスは、図４（Ａ）の正面図及び図４（Ｂ）の側面図で示すように、前記軸流ファン７を囲繞する前後が開放された環状部３２と、同環状部３２の前面側に形成され複数の取付孔を穿設したフランジ３１とからなっている。前記環状部３２の前記軸流ファン７側周縁は、Ａ部で示すように円弧状に形成され、更に図４（Ｃ）で示すように、内側へ円弧状に延出して前記軸流ファン７から送出された空気の流れを円滑にし、騒音を低減するようになっている。
【０００４】
しかしながら、上記した構成でも、前記環状部３２内壁面での流れの剥離を抑えることはできず、流れの剥離に起因する騒音が発生してしまう現象があり、対策が求められていた。
【０００５】
【特許文献１】
特開平１１−１４１０１号
【０００６】
【発明が解決しようとする課題】
本発明は上記問題点に鑑み、ベルマウスを構成する環状部での騒音の発生を抑制して静粛な運転を行える空気調和機の室外機を提供することを目的とする。
【０００７】
【課題を解決するための手段】
本発明は上記課題を解決するため、前面に吹出口を、背面に吸込口を備えた外胴をベースに被着するとともに、同ベース上を仕切板により機械室と熱交換器室とに区画し、前記機械室に圧縮機を設け、前記熱交換器室に、前記吸込口に臨んで、平行に並べられた多数のフィンと、同フィンに直交するように蛇行状に配設された伝熱管とからなる室外側熱交換器を設ける一方、前記吹出口に臨んで、軸流ファンと、同軸流ファンを駆動するモータとを設け、前記吹出口の裏面に、前記軸流ファンを囲繞する環状部と、同環状部の前面に形成され前記外胴に対応する複数の取付孔を穿設したフランジとからなるベルマウスを設けてなる空気調和機の室外機において、
前記環状部の内壁面に、前記軸流ファンの回転方向に沿った複数の曲線状の溝を形成してなる構成となっている。
【０００８】
また、前記ベルマウスが樹脂材からなり、前記曲線状の溝が前記環状部に一体に形成されてなる構成となっている。
【０００９】
また、前記曲線状の溝の断面形状が、円弧状の凹部に形成されてなる構成となっている。
【００１０】
【発明の実施の形態】
以下、本発明の実施の形態を、添付図面に基づいた実施例として詳細に説明する。
図１は本発明による空気調和機の室外機の外観斜視図であり、図２はその内部構造を示す斜視図である。図３はベルマウスの正面図及び側面図である。
本発明による空気調和機の室外機は、図１及び図２で示すように、ベース１に吹出口グリル９を装着した前面パネル８と天板１０等からなる外胴を着装するとともに、前記ベース１上を仕切板２により左右に区画し、区画された一方に機械室３を、区画された他方にを熱交換器室４を夫々配設している。図２で示すように、前記熱交換器室４の後部には、平行して並べられた多数のフィンと、同フィンに直交するように蛇行状に配設され、両端部をＵ字管により夫々接合した伝熱管とからなり、Ｌ字状に形成された室外側熱交換器６が設けられ、同室外側熱交換器６の前面には、モータを固定した取付台と、前記モータにより駆動され前記室外側熱交換器６で熱交換された空気を前面に向かい送出する軸流ファン１０とが設けられている。
【００１１】
前記機械室３には冷媒を圧縮する圧縮機５と、同圧縮機５に還流する冷媒を一時的に貯留するアキュームレータ等が設けられ、その上方には制御基板を内蔵した電装品箱が設けられるようになっている。前記外胴は上記したように、前記ベース１の前面側に被着される前記前面パネル８及び前記天板１０の他に、側面吸込孔を穿設した右側パネル１１及び前後に分割され左側面を覆う左側前部パネル１２ａと左側後部パネル１２ｂ及び背面側を覆う背面パネル１３とから構成されている。
【００１２】
前記熱交換器室４の前部に配設された前記軸流ファン７と前記前面パネル８との間には、前記軸流ファン７から送出される空気を整流し、排出効率を高めるとともに、排出の際の空気の流れによる騒音を低減するベルマウス１４が設けられている。
【００１３】
前記ベルマウス１４は、図３（Ａ）の正面図及び図３（Ｂ）の側面図で示すように、前後面が開放され環状に形成された環状部１６と、同環状部１６の前面側に連続して形成され四側周囲に取付用のネジ挿通孔１８を穿設した矩形状のフランジ１５とからなり、前記ネジ挿通孔１８にネジを挿通させて前記前面パネル８に螺着されるようになっている。
【００１４】
前記環状部１６の前記軸流ファン７側に対応する周縁部断面は、図３（Ｂ）に示すように、円弧状に形成され、更に前記環状部１６の内壁面には、図３（Ａ）で示すように、曲線状の溝１９が多数形成されている。同曲線状の溝１９は前記軸流ファン７の回転方向と同方向となるように曲線状に形成されるとともに、その断面形状は、図３（Ｃ）で示すように滑らかな円弧状の凹部となっている。尚、前記ベルマウス１４は樹脂成型からなり、前記フランジ１５及び螺旋状の溝を形成した前記環状部１６は一体となって形成されている。
【００１５】
次に、動作について説明する。前記軸流ファン７から熱交換された空気が送出されると、空気の流れは前記ベルマウス１４の前記環状部１６に流入する。流入した空気は前記環状部１６の内壁面に形成した前記曲線状の溝１９に沿って流れ、同溝１９の断面形状が円弧状の凹部となっていることにより、流れの剥離を生じることなく前記前面パネル８に装着された前記前面グリル９から外部に放出されるようになっている。流れの剥離を防止することにより、これに起因する騒音を抑制することができ静粛な運転を行えるようになっている。
【００１６】
【発明の効果】
以上説明したように、本発明によると、ベルマウスを構成する環状部の内壁面に、軸流ファンの回転方向に沿った曲線状の溝を多数形成することにより、ベルマウス内での流れの剥離を防止し、これに起因する騒音を抑制して静粛な運転を行うことのできる空気調和機の室外機とすることができる。
【図面の簡単な説明】
【図１】本発明による空気調和機の外観斜視図である。
【図２】本発明による空気調和機の分解斜視図である。
【図３】（Ａ）は本発明による空気調和機に設けられたベルマウスを示す正面図である。
（Ｂ）はその側面図である。
（Ｃ）は環状部の溝を示す断面図である。
【図４】（Ａ）は従来のベルマウスを示す正面図である。
（Ｂ）はその側面図である。
（Ｃ）は環状部周縁の断面図である。
【符号の説明】
１  ベース
２  仕切板
３  機械室
４  熱交換器室
５  圧縮機
６  熱交換器
７  軸流ファン
８  前面パネル
９  吹出グリル
１０  天板
１１  右側パネル
１２ａ  左側前部パネル
１２ｂ  左側後部パネル
１３  背面パネル
１４  ベルマウス
１５  フランジ
１６  環状部
１８  ネジ挿通孔
１９  溝
【図１】
2004239579.tif 000003
【図２】
2004239579.tif 000004
【図３】
2004239579.tif 000005
【図４】
2004239579.tif 000006